(57)【要約】      （修正有）【課題】空気を安定的に浄化することができ、空気浄化の精度が向上し、使用者の使用環境が改善される空気除塵装置を提供する。【解決手段】除塵枠１と、第１除塵アセンブリ２と、第２除塵アセンブリ３と、を含む空気除塵装置であって、除塵枠の頂端には、接続具４が設けられ、除塵枠の両側壁には、それぞれカバードア５が設けられ、第１除塵アセンブリは、除塵枠の内部の底端の一方側に設けられ、第１除塵アセンブリの底端には、供給パイプ６が接続され、第２除塵アセンブリは、除塵枠の内部の他方側に設けられ、第２除塵アセンブリの底端には、排出パイプ７が接続される。第１除塵アセンブリと第２除塵アセンブリを組み合わせて使用することにより、空気における埃を分級して浄化することができる。【選択図】図２
0003235430.tif 000002
【実用新案登録請求の範囲】
【請求項１】
除塵枠（１）と、第１除塵アセンブリ（２）と、第２除塵アセンブリ（３）と、を含む空気除塵装置であって、
前記除塵枠（１）の頂端には、接続具（４）が設けられ、
前記除塵枠（１）の両側壁には、それぞれカバードア（５）が設けられ、
前記第１除塵アセンブリ（２）は、前記除塵枠（１）の内部の底端の一方側に設けられ、
前記第１除塵アセンブリ（２）の底端には、供給パイプ（６）が接続され、
前記第２除塵アセンブリ（３）は、前記除塵枠（１）の内部の他方側に設けられ、
前記第２除塵アセンブリ（３）の底端には、排出パイプ（７）が接続され、
前記排出パイプ（７）の端部には、第１エアポンプ（８）が設けられる
ことを特徴とする空気除塵装置。
【請求項２】
請求項１に記載の空気除塵装置であって、
前記カバードア（５）の端部には、前記除塵枠（１）が係合され、
前記カバードア（５）と前記除塵枠（１）との接触する部分には、シールリングが設けられる
ことを特徴とする空気除塵装置。
【請求項３】
請求項１に記載の空気除塵装置であって、
前記第１除塵アセンブリ（２）は、吸着キャビティ（９）と、第１フィルタ（１０）と、第２フィルタ（１１）と、複数群の正極プレート（１２）と、複数群の負極プレート（１３）と、を含み、
前記吸着キャビティ（９）は、除塵枠（１）の内部の底端の一方側に設けられ、
前記吸着キャビティ（９）は、前記供給パイプ（６）に連通し、
前記第１フィルタ（１０）、前記第２フィルタ（１１）は、前記吸着キャビティ（９）の内部の両側に係合され、
複数群の前記正極プレート（１２）は、前記吸着キャビティ（９）の内部の一方側に設けられ、
複数群の前記負極プレート（１３）は、前記吸着キャビティ（９）の内部の他方側に設けられ、
複数群の前記正極プレート（１２）、複数群の前記負極プレート（１３）は、いずれも外部に電気接続され、
複数群の前記正極プレート（１２）と複数群の前記負極プレート（１３）とは、両者の数が同じである
ことを特徴とする空気除塵装置。
【請求項４】
請求項３に記載の空気除塵装置であって、
前記第１フィルタ（１０）と前記第２フィルタ（１１）とは、相互に平行して設けられ、
前記第１フィルタ（１０）と前記第２フィルタ（１１）は、前記吸着キャビティ（９）の内壁に密着される
ことを特徴とする空気除塵装置。
【請求項５】
請求項１に記載の空気除塵装置であって、
前記第２除塵アセンブリ（３）は、輸送パイプ（１４）と、処理キャビティ（１５）と、２群の位置決め具（１６）と、２群の吸着板（１７）と、を含み、
前記処理キャビティ（１５）は、前記除塵枠（１）の内部の一方側に設けられ、
前記輸送パイプ（１４）は、前記処理キャビティ（１５）の頂端に設けられ、
前記輸送パイプ（１４）は、吸着キャビティ（９）の内部に連通し、
前記輸送パイプ（１４）の端部には、第２エアポンプ（１８）が設けられ、
２群の前記位置決め具（１６）は、前記処理キャビティ（１５）の内部の両側に設けられ、
２群の前記吸着板（１７）は、前記処理キャビティ（１５）の側壁を貫通して２群の前記位置決め具（１６）に係合され、
前記排出パイプ（７）は、前記処理キャビティ（１５）の内部に連通する
ことを特徴とする空気除塵装置。
【請求項６】
請求項５に記載の空気除塵装置であって、
２群の前記位置決め具（１６）は、いずれも凹状構造であり、
２群の前記位置決め具（１６）は、２群の前記吸着板（１７）に係合される
ことを特徴とする空気除塵装置。
【考案の詳細な説明】
【技術分野】
【０００１】
本考案は、空気浄化設備技術領域に関し、特に空気除塵装置に関する。
【背景技術】
【０００２】
空気浄化とは、様々な室内環境問題に対して、消毒、除塵、内装材の有害物質の除去、室内の臭みの除去等の解決方法を提供し、生活環境やオフィス環境を改善し、体と心の健康の状態を改善し、心身の健康を保つことをいう。室内環境汚染物質及び汚染源には、主に放射性ガス、カビ、微粒子、内装材の発揮性有害物質、間接喫煙等がある。室内環境が悪く、室内の空気には大量の有害物があるため、空気除塵装置により空気を浄化する必要がある。しかしながら、従来の除塵設備は、使用効果が悪く、空気中のガスを分級して浄化することができず、全面的に吸着することができず、空気中の不純物を高精度で浄化できず、全体の浄化効果に影響を与える。
【０００３】
従来技術には以下の欠点を有する。従来の除塵設備は、使用効果が悪く、空気中のガスを分級して浄化することができず、全面的に吸着することができず、空気中の不純物を高精度で浄化できず、全体の浄化効果に影響を与え、異なる環境に対応して使用することができない。
【考案の概要】
【０００４】
本考案は、以下の問題を解決するために、空気除塵装置を提供する。従来の除塵設備は、使用効果が悪く、空気中のガスを分級して浄化することができず、全面的に吸着することができず、空気中の不純物を高精度で浄化できず、全体の浄化効果に影響を与える。
【０００５】
上述した目的を実現するために、除塵枠と、第１除塵アセンブリと、第２除塵アセンブリと、を含む空気除塵装置を提供する。前記除塵枠の頂端には、接続具が設けられ、前記除塵枠の両側壁には、それぞれカバードアが設けられ、前記第１除塵アセンブリは、前記除塵枠の内部の底端の一方側に設けられ、前記第１除塵アセンブリの底端には、供給パイプが接続され、前記第２除塵アセンブリは、前記除塵枠の内部の他方側に設けられ、前記第２除塵アセンブリの底端には、排出パイプが接続され、前記排出パイプの端部には、第１エアポンプが設けられる。
【０００６】
好ましくは、前記カバードアの端部には、前記除塵枠が係合され、前記カバードアと前記除塵枠との接触する部分には、シールリングが設けられる。防護枠の全体的な密封性が保証される。
【０００７】
好ましくは、前記第１除塵アセンブリは、吸着キャビティと、第１フィルタと、第２フィルタと、複数群の正極プレートと、複数群の負極プレートと、を含み、前記吸着キャビティは、除塵枠の内部の底端の一方側に設けられ、前記吸着キャビティは、供給パイプに連通し、前記第１フィルタ、前記第２フィルタは、前記吸着キャビティの内部の両側に係合され、複数群の前記正極プレートは、前記吸着キャビティの内部の一方側に設けられ、複数群の前記負極プレートは、前記吸着キャビティの内部の他方側に設けられ、複数群の前記正極プレート、複数群の前記負極プレートは、いずれも外部に電気接続され、複数群の前記正極プレートと複数群の前記負極プレートとは、両者の数が同じである。供給パイプにより外部の空気を吸着キャビティの内部に吸い込み、第１フィルタにより空気の予備吸着処理を行い、その後、空気を放電している複数群の正極プレートを通過させることにより、空気における埃に帯電させる。静電気の吸着力により、空気における埃を安定的に複数群の負極プレートに吸着することができ、埃の吸着が実現される。
【０００８】
好ましくは、前記第１フィルタと前記第２フィルタとは、相互に平行して設けられ、前記第１フィルタと第２フィルタは、前記吸着キャビティの内壁に密着される。
【０００９】
好ましくは、前記第２除塵アセンブリは、輸送パイプと、処理キャビティと、２群の位置決め具と、２群の吸着板と、を含み、前記処理キャビティは、前記除塵枠の内部の一方側に設けられ、前記輸送パイプは、前記処理キャビティの頂端に設けられ、前記輸送パイプは、吸着キャビティの内部に連通し、前記輸送パイプの端部には、第２エアポンプが設けられ、２群の前記位置決め具は、前記処理キャビティの内部の両側に設けられ、２群の前記吸着板は、前記処理キャビティの側壁を貫通して２群の前記位置決め具に係合され、前記排出パイプは、前記処理キャビティの内部に連通する。２群の位置決め具により同時に吸着板を係合して位置規制することができ、２群の吸着板により同時に空気における微粒子等に対して再度吸着することができる。その後、排気パイプにより浄化された空気を輸送する。
【００１０】
好ましくは、２群の前記位置決め具は、いずれも凹状構造であり、２群の前記位置決め具は、２群の前記吸着板に係合される。
【考案の効果】
【００１１】
本考案の態様は、下記の有益な効果を奏する。
本考案では、第１除塵アセンブリを設けることにより、以下の効果を奏する。供給パイプにより外部の空気を吸着キャビティの内部に吸い込み、第１フィルタにより空気の予備吸着処理を行い、その後、空気を放電している複数群の正極プレートを通過させることにより、空気における埃に帯電させる。静電気の吸着力により、空気における埃を安定的に複数群の負極プレートに吸着することができ、埃の吸着が実現される。その後、輸送パイプにより吸着した後の埃を処理キャビティの内部に運送する。
【００１２】
本考案では、第２除塵アセンブリを設けることにより、以下の効果を奏する。２群の位置決め具により同時に吸着板を係合して位置規制することができ、２群の吸着板により同時に空気における微粒子等に対して再度吸着することができる。その後、排気パイプにより浄化された空気を輸送する。空気の浄化が安定的に行われることが保証され、空気浄化精度が向上し、使用者の環境が改善される。
【図面の簡単な説明】
【００１３】
【図１】本考案の実施例に係る全体構造模式図である。
【図２】本考案の実施例に係る除塵枠の内部構造模式図である。
【図３】本考案の実施例に係る第１除塵アセンブリの構造模式図である。
【図４】図２におけるＡ部分の構造模式図である。
【考案を実施するための形態】
【００１４】
図１−４に示すように、本考案のある様態によれば、除塵枠１と、第１除塵アセンブリ２と、第２除塵アセンブリ３と、を含む空気除塵装置において、前記除塵枠１の頂端には、接続具４が設けられ、前記除塵枠１の両側壁には、それぞれカバードア５が設けられ、前記第１除塵アセンブリ２は、前記除塵枠１の内部の底端の一方側に設けられ、前記第１除塵アセンブリ２の底端には、供給パイプ６が接続され、前記第２除塵アセンブリ３は、前記除塵枠１の内部の他方側に設けられ、前記第２除塵アセンブリ３の底端には、排出パイプ７が接続され、前記排出パイプ７の端部には、第１エアポンプ８が設けられる。第１エアポンプ８は、型番が２２０Ｖ高圧ボルテックスブロワである。
【００１５】
また、前記カバードア５の端部には、前記除塵枠１が係合され、前記カバードア５と前記除塵枠１との接触する部分には、シールリングが設けられる。防護枠の全体的な密封性が保証される。
【００１６】
また、前記第１除塵アセンブリ２は、吸着キャビティ９と、第１フィルタ１０と、第２フィルタ１１と、複数群の正極プレート１２と、複数群の負極プレート１３と、を含み、前記吸着キャビティ９は、除塵枠１の内部の底端の一方側に設けられ、前記吸着キャビティ９は、供給パイプ６に連通し、前記第１フィルタ１０、前記第２フィルタ１１は、前記吸着キャビティ９の内部の両側に係合され、複数群の前記正極プレート１２は、前記吸着キャビティ９の内部の一方側に設けられ、複数群の前記負極プレート１３は、前記吸着キャビティ９の内部の他方側に設けられ、複数群の前記正極プレート１２、複数群の前記負極プレート１３は、いずれも外部に電気接続され、複数群の前記正極プレート１２と複数群の前記負極プレート１３とは、両者の数が同じである。供給パイプ６により外部の空気を吸着キャビティ９の内部に吸い込み、第１フィルタ１０により空気の予備吸着処理を行い、その後、空気を放電している複数群の正極プレート１２を通過させることにより、空気における埃に帯電させる。静電気の吸着力により、空気における埃を安定的に複数群の負極プレート１３に吸着することができ、埃の吸着が実現される。その後、輸送パイプ１４により吸着した後の埃を処理キャビティ１５の内部に運送する。
【００１７】
また、前記第１フィルタ１０と前記第２フィルタ１１とは、相互に平行して設けられ、前記第１フィルタ１０と第２フィルタ１１は、前記吸着キャビティ９の内壁に密着される。全体的な濾過精度が確保される。
【００１８】
また、前記第２除塵アセンブリ３は、輸送パイプ１４と、処理キャビティ１５と、２群の位置決め具１６と、２群の吸着板１７と、を含み、前記処理キャビティ１５は、前記除塵枠１の内部の一方側に設けられ、前記輸送パイプ１４は、前記処理キャビティ１５の頂端に設けられ、前記輸送パイプ１４は、吸着キャビティ９の内部に連通し、前記輸送パイプ１４の端部には、第２エアポンプ１８が設けられ、第２エアポンプ１８は、型番が２２０Ｖ高圧ボルテックスブロワである。２群の前記位置決め具１６は、前記処理キャビティ１５の内部の両側に設けられ、２群の前記吸着板１７は、前記処理キャビティ１５の側壁を貫通して２群の前記位置決め具１６に係合され、前記排出パイプ７は、前記処理キャビティ１５の内部に連通する。２群の位置決め具１６により同時に吸着板１７を係合して位置規制することができ、２群の吸着板１７により同時に空気における微粒子等に対して再度吸着することができる。その後、排気パイプにより浄化された空気を輸送する。空気の浄化が安定的に行われることが保証され、空気浄化精度が向上し、使用者の環境が改善される。
【００１９】
また、２群の前記位置決め具１６は、いずれも凹状構造であり、２群の前記位置決め具１６は、２群の前記吸着板１７に係合される。これにより、安定的に吸着板１７を位置規制することができる。
【００２０】
作動の原理
使用する際に、まず接続具４により除塵枠１を迅速に位置決めし、除塵枠１を異なる位置に取り付けることができる。第１除塵アセンブリ２が設けられるため、供給パイプ６により外部の空気を吸着キャビティ９の内部に吸い込み、第１フィルタ１０により空気の予備吸着処理を行い、その後、空気を放電している複数群の正極プレート１２を通過させることにより、空気における埃に帯電させる。静電気の吸着力により、空気における埃を安定的に複数群の負極プレート１３に吸着することができ、埃の吸着が実現される。その後、輸送パイプ１４により吸着した後の埃を処理キャビティ１５の内部に運送する。第２除塵アセンブリ３が設けられるため、２群の位置決め具１６により同時に吸着板１７を係合して位置規制することができ、２群の吸着板１７により同時に空気における微粒子等に対して再度吸着することができる。その後、排気パイプにより浄化された空気を輸送する。空気の浄化が安定的に行われることが保証され、空気浄化精度が向上し、使用者の環境が改善される。除塵枠１の両側に設けられるカバードア５により使用者が第１除塵アセンブリ２と第２除塵アセンブリ３を点検することができ、装置の浄化効果が保証される。
【符号の説明】
【００２１】
１：除塵枠
２：第１除塵アセンブリ
３：第２除塵アセンブリ
４：接続具
５：カバードア
６：供給パイプ
７：排出パイプ
８：第１エアポンプ
９：吸着キャビティ
１０：第１フィルタ
１１：第２フィルタ
１２：正極プレート
１３：負極プレート
１４：輸送パイプ
１５：処理キャビティ
１６：位置決め具
１７：吸着板
１８：第２エアポンプ
【図１】
0003235430.tif 000003
【図２】
0003235430.tif 000004
【図３】
0003235430.tif 000005
【図４】
0003235430.tif 000006